(57)【要約】【課題】ファンケーシングの所定の位置に精度良くクロスフローファンを取り付けることができ、使用時における異音等の発生や温風の送出効率の低下を確実に防止することができる温風暖房機を提供する。【解決手段】温風暖房機に備える送風手段８のファンケーシング１０に第１閉塞部材２１と第２閉塞部材２４とを設ける。第１閉塞部材２１に第１開口部２５を設け、第２閉塞部材２４に第２開口部２８を設ける。第１開口部２５は、クロスフローファン９の一端の位置を第１閉塞部材２１の外部から視認可能とすると共に連結部材１９の連結作業を可能とする。第２開口部２８は、クロスフローファン９の他端の位置を第２閉塞部材２４の外部から視認可能とする。【選択図】図２
2005337552.tif 000002
【特許請求の範囲】
【請求項１】
クロスフローファンにより強制的に温風を吹き出す送風手段を備える温風暖房機において、
前記送風手段は、エアガイドとスタビライザとを両側で一対の端板により一体化してなるファンケーシングと、
該ファンケーシングの両端板に形成され、クロスフローファンが挿通自在の円孔と、
一方の端板の円孔を閉塞し且つクロスフローファンの一端の回転軸に連結部材を介して連結するモータを支持する椀状の第１閉塞部材と、
他方の端板の円孔を閉塞し且つクロスフローファンの他端の回転軸を回転自在に支持する軸受け部材を備える椀状の第２閉塞部材と、
前記第１閉塞部材の周壁の一部にクロスフローファンの軸線に直行する方向に開口形成され、一方の端板の円孔内周縁に対するクロスフローファンの一端の位置を第１閉塞部材の外部から視認可能とすると共に前記連結部材の連結作業を可能とする第１開口部と、
前記第２閉塞部材の周壁の一部にクロスフローファンの軸線に直行する方向に開口形成され、他方の端板の円孔内周縁に対するクロスフローファンの他端の位置を第２閉塞部材の外部から視認可能とする第２開口部とを備えることを特徴とする温風暖房機。
【請求項２】
前記第１開口部と前記第２開口部とは、クロスフローファンの回転軸の周方向に沿って延びる長孔状に形成されていることを特徴とする請求項１記載の温風暖房機。
【発明の詳細な説明】
【技術分野】
【０００１】
本発明は、クロスフローファンにより強制的に温風を吹き出す送風手段を備える温風暖房機に関する。
【背景技術】
【０００２】
温風暖房機は、燃焼ガスをバーナで燃焼させた熱を温風として室内に強制的に対流させる送風手段を備えている。この種の送風手段は、ファンケーシングと、このファンケーシング内部に収容されたクロスフローファンとによって構成されている。ファンケーシングは、エアガイドとスタビライザとそれらの両側から一体に連結する一対の端板とによって温風流路を形成する。クロスフローファンは、両側の端板の間に位置してファンケーシングの一方の端板に取り付け支持されたモータによって回転駆動される（例えば、特許文献１参照）。
【０００３】
こうした送風手段に設けられるクロスフローファンは、温風を効率よく送り出すために、極めて高精度なファンケーシングへの取り付け状態が要求される。即ち、クロスフローファンの両端がファンケーシングの両側の端板に極めて近接するように取り付けられる。このため、クロスフローファンの両端の回転軸を両側の端板を介してその外側に延出させ、クロスフローファンの一端の回転軸を一方の端板の外側においてモータに連結し、クロスフローファンの他端の回転軸を他方の端板の外側において軸受け部材に支持させている。このとき、モータや軸受け部材は、ファンケーシングの両端板から外部に延出するクロスフローファンの両端の回転軸を覆って閉塞する椀状の閉塞部材に支持される。
【０００４】
しかし、閉塞部材によってクロスフローファンの両端部が覆い隠されてしまうために、ファンケーシングにクロスフローファンを取り付ける際にクロスフローファンの両端部の位置を確認することができず、ファンケーシング内においてクロスフローファンが軸方向に位置ずれした状態に取り付けられる場合がある。そしてこの場合には、クロスフローファンの回転時に端板に接触して不快な接触音が生じたり、端板とクロスフローファンの端部との隙間寸法の精度低下から不快な風切り音が生じるといった異音等の発生や、温風の送出効率が低下するといった不都合がある。
【特許文献１】特開平７−３２４８２４号公報（図５）
【発明の開示】
【発明が解決しようとする課題】
【０００５】
かかる不都合を解消して、本発明は、ファンケーシングの所定の位置に精度良くクロスフローファンを取り付けることができ、使用時における異音等の発生や温風の送出効率の低下を確実に防止することができる温風暖房機を提供することを目的とする。
【課題を解決するための手段】
【０００６】
かかる目的を達成するために、本発明は、クロスフローファンにより強制的に温風を吹き出す送風手段を備える温風暖房機において、前記送風手段は、エアガイドとスタビライザとを両側で一対の端板により一体化してなるファンケーシングと、該ファンケーシングの両端板に形成され、クロスフローファンが挿通自在の円孔と、一方の端板の円孔を閉塞し且つクロスフローファンの一端の回転軸に連結部材を介して連結するモータを支持する椀状の第１閉塞部材と、他方の端板の円孔を閉塞し且つクロスフローファンの他端の回転軸を回転自在に支持する軸受け部材を備える椀状の第２閉塞部材と、前記第１閉塞部材の周壁の一部にクロスフローファンの軸線に直行する方向に開口形成され、一方の端板の円孔内周縁に対するクロスフローファンの一端の位置を第１閉塞部材の外部から視認可能とすると共に前記連結部材の連結作業を可能とする第１開口部と、前記第２閉塞部材の周壁の一部にクロスフローファンの軸線に直行する方向に開口形成され、他方の端板の円孔内周縁に対するクロスフローファンの他端の位置を第２閉塞部材の外部から視認可能とする第２開口部とを備えることを特徴とする。
【０００７】
本発明によれば、前記第１閉塞部材に第１開口部を設け、前記第２閉塞部材に第２開口部を設けたことにより、ファンケーシングにクロスフローファンを取り付ける際に第１開口部及び第２開口部からクロスフローファンの端部の位置を容易に確認することができる。具体的には、第１開口部及び第２開口部からは、端板からのクロスフローファンの端部の出っ張り具合、円孔内周縁とクロスフローファンの端部との接触の有無、円孔内周縁とクロスフローファンの端縁との隙間寸法の大小等を容易に視認することができ、これらの状態を見ながらファンケーシングへのクロスフローファンの取り付け作業を行うことができる。また、ファンケーシングにクロスフローファンを取り付けた後であっても、第１開口部及び第２開口部からクロスフローファンの端部の様子を見ることができるので、クロスフローファンを良好な位置に調整する作業を容易に行うことができる。そして、これにより、クロスフローファンを高精度な取り付け状態とすることができるので、使用時における異音等の発生や温風の送出効率の低下を確実に防止することができる。
【０００８】
また、本発明において、前記第１開口部と前記第２開口部とは、クロスフローファンの回転軸の周方向に沿って延びる長孔状に形成されていることが好ましい。これにより、前記第１開口部と前記第２開口部との開放量を少なくして空気の通過を抑えたうえで、前記第１開口部と前記第２開口部とを介してクロスフローファンを見る際に比較的大きな視野を得ることができる。
【発明を実施するための最良の形態】
【０００９】
本発明の一実施形態を図面に基づいて説明する。図１は本実施形態の温風暖房機を模式的に示す側面断面図、図２は送風手段の平面図、図３は送風手段の分解斜視図である。
【００１０】
図１に示すように、本実施形態の温風暖房機１は、暖房機本体２の背面側に空気取り入れ口３が設けられており、前面側の下方位置に温風吹出し口４が設けられている。空気取り入れ口３と温風吹出し口４とは連通して空気通路５を形成している。空気取り入れ口３には、塵、埃をろ過するフィルタ６が備えられている。暖房機本体２の内部上方には熱源としてのバーナ７が設けられており、その下方には、送風手段８が設けられている。
【００１１】
送風手段８は、図２に示すように、軸方向に幅の広い羽根を軸から放射状に多数備えるクロスフローファン９と、クロスフローファン９を収容するファンケーシング１０とによって構成されている。
【００１２】
ファンケーシング１０は、図３に示すように、エアガイド１１とスタビライザ１２とが一対の端板１３，１４により一体化され、図１に示すように、クロスフローファン９の軸の放射方向に当たる上方に吸気口１５が形成され、同様に放射方向に当たる横方向の下部に吹出し口１６が形成されている。
【００１３】
エアガイド１１は、吸気口１５から吹出し口１６へ向かって次第にクロスフローファン９との間隔が広がるように湾曲させた形状に形成されている。スタビライザ１２は、吸気口１５と吹出し口１６とを平面で直線的に結んでクロスフローファン９を覆うように設けられている。エアガイド１１及びスタビライザ１２の形状は、送風能力を高めるものであり、クロスフローファン９の回転によって吸気口１５から吹出し口１６へ向かって空気を効率よく移動させるようになっている。
【００１４】
また、図３に示すように、ファンケーシング１０を構成する一方の端板１３には第１円孔１７が形成されており、他方の端板１４には第２円孔１８が形成されている。第１円孔１７と第２円孔１８とは共にクロスフローファン９の外径よりも僅かに大きな内径に形成されており、クロスフローファン９が軸方向に挿通自在となっている。
【００１５】
図２に示すように、第１円孔１７には、クロスフローファン９の一端部から延出する回転軸と一体の連結部材１９を介して連結するモータ２０が固定されると共に第１円孔１７を閉塞する椀状の第１閉塞部材２１が取り付けられている。また、第２円孔１８には、クロスフローファン９の他端から延出する回転軸２２の軸受け部材２３を第２円孔１８の中心位置に支持すると共に第２円孔１８を閉塞する椀状の第２閉塞部材２４が取り付けられている。
【００１６】
更に、第１閉塞部材２１には、その周壁の一部に開口形成された第１開口部２５が形成されている。第１開口部２５は、クロスフローファン９の軸線に直行する方向に開口形成されており、クロスフローファン９の回転軸（連結部材１９）の周方向に沿って延びる長孔状に形成されている。また、第１開口部２５は、第１円孔１７の内周縁に対するクロスフローファン９の端部の位置を第１閉塞部材２１の外部から視認することができる位置に設けられ、クロスフローファン９とモータ２０の回転軸２６との連結時に連結部材１９のネジ２７を操作すべく、例えばドライバー等の工具が挿入自在の大きさに形成されている。
【００１７】
同じように、第２閉塞部材２４には、その周壁の一部に開口形成された第２開口部２８が形成されている。第２開口部２８は、クロスフローファン９の軸線に直行する方向に開口形成されており、クロスフローファン９の回転軸２２の周方向に沿って延びる長孔状に形成されている。そして、第２開口部２８は、第２円孔１８の内周縁に対するクロスフローファン９の端部の位置を第２閉塞部材２４の外部から視認することができる位置に設けられている。なお、第２開口部２８は、クロスフローファン９の端部の位置確認が可能な大きさであればよく、ドライバー等の工具の挿入は不要であるため、第１開口部２５に比べて幅狭に形成されている。これにより同時に、第２開口部２８からファンケーシング１０の外部への温風の流出を抑制している。
【００１８】
ファンケーシング１０へのクロスフローファン９の組み付け作業を図３を参照して説明すれば、まず、ファンケーシング１０の第２円孔１８（或いは第１円孔１７）からクロスフローファン９を軸方向に挿入し、両端板１３，１４の間に位置させる。次いで、第２閉塞部材２４の内側の中央部に軸受け部材２３を取り付けて、第２閉塞部材２４を第２円孔１８にかぶせるようにして取り付ける。このとき、図２に示すように、クロスフローファン９の回転軸２２を軸受け部材２３に挿着させる。続いて、図３に示すように、第１閉塞部材２１の外側の中央部にモータ２０を取り付けて、第１閉塞部材２１を第１円孔１７にかぶせるようにして取り付ける。このとき、図２に示すように、クロスフローファン９の回転軸と一体の連結部材１９にモータ２０の回転軸２６を挿入させる。そして、第１閉塞部材２１の第１開口部２５を介してドライバ等の工具を挿入し、連結部材１９のネジ２７を締めてクロスフローファン９とモータ２０とを一体に連結する。
【００１９】
このとき、クロスフローファン９の位置は、連結部材１９へのモータ２０の回転軸２６の挿入量により変化する。そして、この挿入量が大き過ぎると、クロスフローファン９の一端部が第１円孔１７側に寄って他端部が第２円孔１８から離れ、第２円孔１８側の端板１４とクロスフローファン９の端部との隙間が過剰に広くなる。これにより、クロスフローファン９の回転時に異音の発生や温風の送出効率の低下が生じる。逆に、この挿入量が小さ過ぎると、クロスフローファン９の一端部が第２円孔１８側に寄って他端部が第１円孔１７から離れ、第２円孔１８側の端板１４とクロスフローファン９の端部との隙間が過剰に狭くなる。これによっても、クロスフローファン９の回転時に異音の発生や温風の送出効率の低下が生じる。
【００２０】
そこで、第２開口部２８及び第１開口部２５を介してクロスフローファン９の位置を見て確認しながら、第１開口部２５を介して連結部材１９の連結作業を行うことにより、クロスフローファン９を良好な取り付け位置に取り付けることができる。即ち、第１開口部２５及び第２開口部２８からは、端板１３，１４からのクロスフローファン９の端部の出っ張り具合、円孔１７，１８の内周縁とクロスフローファン９の端部との接触の有無、円孔１７，１８の内周縁とクロスフローファン９の端縁との隙間寸法の大小等を容易に視認することができ、これらの状態を見ながらクロスフローファン９の取り付け作業を行えばよい。更に、クロスフローファン９を取り付けた後であっても、第１開口部２５及び第２開口部２８からクロスフローファン９の端部の様子を見ることができ、位置ずれが生じていれば、クロスフローファン９を良好な位置に調整することができる。このように、クロスフローファン９を精度の高い取り付け状態とすることができるので、クロスフローファン９の回転時の異音等の発生や温風の送出効率の低下を確実に防止することができる。
【図面の簡単な説明】
【００２１】
【図１】本発明の一実施形態の温風暖房機を模式的に示す側面断面図。
【図２】送風手段の平面図。
【図３】送風手段の分解斜視図。
【符号の説明】
【００２２】
１…温風暖房機、８…送風手段、９…クロスフローファン、１０…ファンケーシング、１１…エアガイド、１２…スタビライザ、１３，１４…端板、１７…第１円孔（円孔）、１８…第２円孔（円孔）、１９…連結部材、２０…モータ、２１…第１閉塞部材、２２…回転軸、２３…軸受け部材、２４…第２閉塞部材、２５…第１開口部、２８…第２開口部。
【図１】
2005337552.tif 000003
【図２】
2005337552.tif 000004
【図３】
2005337552.tif 000005